(57)【要約】【課題】作戦を適切に指示できるようにする。【解決手段】指導者が人形３；４を作戦基盤２の競技面１２の作戦を指示しようとする場所の上に配置し、人形３；４の下部の永久磁石が強磁性体８に磁力で吸着して、人形３；４が競技面１２の作戦を指示しようとする場所に立体的に保持された状態において、指導者が、永久磁石を設けていない支持棒５の柄２４のボール２５の無い側の端部を手で持ってボール２５を空中で弧を描くように移動させたり競技面１２でバウンドするように移動させたり指示棒５の柄２４を長くしたり短くしたりすることによって、競技面１２を全体的に使用するボール２５の動きや弾道或いは軌跡で作戦を、作戦盤１を見ている選手に適切に指示することができる。作戦基盤２は、バスケットボール以外の球技用であってもよい。人形３；４以外の作戦の指示に役立たせるフィールドポイント、ネット、ゴールなどの用具を競技面１２に立たせてもよい。【選択図】図１
2010284413.tif 000002
【特許請求の範囲】
【請求項１】
選手の姿勢を表現しかつ足側に着脱部材を有する人形と、人形を立たせる競技面を有しかつ人形の着脱部材を捕らえる捕捉部材を有する作戦基盤と、作戦を指示する指示棒とを備えた作戦盤において、指示棒の先端側には捕捉部材に捕らえられる着脱部材が設けていないことを特徴とする作戦盤。
【請求項２】
人形が複数の選手の異なる姿勢を表現する種類として設けられたことを特徴とする請求項１記載の作戦盤。
【請求項３】
着脱部材と捕捉部材とが永久磁石と強磁性体とにより構成されたことを特徴とする請求項１記載の作戦盤。
【請求項４】
指示棒が長さを変化し得る柄と柄の先端に設けられた競技用ボールに似せた形に作られたボールとを備えたことを特徴とする請求項１記載の作戦盤。
【請求項５】
磁石が人形の両足にわたって配置されたことを特徴とする請求項１記載の作戦盤。
【請求項６】
人形の識別番号を表示する部材としてのゼッケンが人形に設けられたことを特徴とする請求項１記載の作戦盤。
【請求項７】
作戦基盤に立たせて作戦の指示に役立たせる用具を備えたことを特徴とする請求項１記載の作戦盤。
【発明の詳細な説明】
【技術分野】
【０００１】
本発明は、作戦を適切に指示できる作戦盤に関する。
【背景技術】
【０００２】
図６は、非特許文献１で開示された作戦盤を示す。図６の作戦盤は、作戦基盤５１、人形５２、指示棒５３を備える。作戦基盤５１は、競技面５４、強磁性体５５を有する。人形５２は、選手の競技姿勢を表現した形で、片足に永久磁石５６を有する。指示棒５３は、柄５７、ボール５８、永久磁石５９を備える。そして、永久磁石５６が強磁性体５５に吸着して、人形５２が競技面５４に立たせられる。また、永久磁石５９が強磁性体５５に吸着して、指示棒５３が競技面５４に立たせられる構造である。よって、指示棒５３は競技面５４の上を吸着したままボール５８を移動させることを主目的とした構造であるので、監督やコーチのような指導者が指示棒５３の柄５７を持ってボール５８を空中で弧を描くように移動させたり競技面でバウンドするように移動させたりするには、指示棒５８がその主目的とする構造上不向きであり、作戦を適切に指示できないという欠点がある。
【先行技術文献】
【非特許文献】
【０００３】
【非特許文献１】sportsman_jp、［2009年6月2日検索］インターネット(URL:http://sportsman.jp/shop/sports/products/UM_UJS7803/mtd-13_048/)
【発明の概要】
【発明が解決しようとする課題】
【０００４】
発明が解決しようとする問題点は、作戦を適切に指示できないという点である。
【課題を解決するための手段】
【０００５】
本発明に係る作戦盤は、選手の姿勢を表現しかつ足側に着脱部材を有する人形と、人形を立たせる競技面を有しかつ人形の着脱部材を捕らえる捕捉部材を有する作戦基盤と、作戦を指示する指示棒とを備えた作戦盤において、指示棒の先端側には捕捉部材に捕らえられる着脱部材が設けられていないことを特徴とする作戦盤。
【０００６】
本発明に係る作戦盤では、人形が複数の選手の異なる姿勢を表現する種類として設けられてもよい。
【０００７】
本発明に係る作戦盤では、着脱部材と捕捉部材とが永久磁石と強磁性体とにより構成されてもよい。
【０００８】
本発明に係る作戦盤では、指示棒が長さを変化し得る柄と柄の先端に設けられた競技用ボールに似せた形に作られたボールとを備えてもよい。
【０００９】
本発明に係る作戦盤では、磁石が人形の両足にわたって配置されてもよい。
【００１０】
本発明に係る作戦盤では、人形の識別番号を表示する部材としてのゼッケンが人形に設けられてもよい。
【００１１】
本発明に係る作戦盤では、人形と作戦基盤及び指示棒に加えて作戦基盤に立たせて作戦の指示に役立たせる用具を備えてもよい。
【発明の効果】
【００１２】
本発明に係る作戦盤は、例えば、指導者が人形を競技面の作戦を指示しようとする場所の上に着脱部材と捕捉部材とによる互いに捕捉し合うという相互作用によって立体的に保持された状態において、指導者が、着脱部材の設けていない構成の空中で移動させることを主目的とする指示棒を手で持って空中で弧を描くように移動させたり競技面でバウンドするように移動させたりする指示棒の動きで、作戦を選手に適切に指示することができるという効果がある。
【００１３】
本発明に係る作戦盤において、人形が複数の選手の異なる姿勢を表現する種類として設けられれば、人形が表現する姿勢の違いによって、指導者と選手とが作戦の内容を適切に把握して作戦の取り違えを防止できるという効果がある。
【００１４】
本発明に係る作戦盤において、着脱部材と捕捉部材とが永久磁石と強磁性体とにより構成されれば、着脱部材と捕捉部材とが吸盤と吸盤のくっつく性質の表面を有する部材とにより構成されたり、着脱部材と捕捉部材とが針と針が刺さる部材とにより構成されたり、着脱部材と捕捉部材とが物体にくっつく性質を有する高分子材料と高分子材料のくっつく性質の表面を有する部材とにより構成されたり、着脱部材と捕捉部材とが面ファスナーにより構成されたりしたものよりも、人形を作戦基盤に保持させたり作戦基盤から外したりすることが容易にできるという効果がある。
【００１５】
本発明に係る作戦盤において、指示棒が長さを変化し得る柄と柄の先端に設けられた競技用ボールに似せた形に作られたボールとを備えれば、指示棒の柄を長くしたり短くしたりして、作戦基盤の競技面を全体的に使用するボールの動きや弾道或いは軌跡で作戦を選手に適切に指示することができるという効果がある。
【００１６】
本発明に係る作戦盤において、磁石が人形の両足にわたって配置されていれば、磁石を人形の片足に配置したものよりも、永久磁石の下面の面積を広くすることができ、永久磁石の面積が広くなると、人形を作戦基盤の競技面に立たせた場合、人形が安定するという効果がある。
【００１７】
本発明に係る作戦盤において、人形の識別番号を表示する部材としてのゼッケンが人形に設けられれば、指導者と選手とが作戦の対象となっている人形を適切に把握して作戦の取り違えを防止できるという効果がある。
【００１８】
本発明に係る作戦盤において、人形と作戦基盤及び指示棒に加えて、作戦基盤に立たせて作戦の指示に役立たせる用具を備えれば、より実践的な作戦を選手に適切に指示することができるという効果がある。
【図面の簡単な説明】
【００１９】
【図１】Ａ図は実施の形態１の作戦盤の使い方を示す斜視図、Ｂ図は側面から見た模式図。
【図２】実施の形態１の作戦盤の別の使い方を示す斜視図、
【図３】実施の形態１の作戦盤の構造を示す斜視図。
【図４】実施の形態２の作戦盤の構造を示す斜視図。
【図５】Ａ図は実施の形態２の作戦盤の使い方を示す平面図、Ｂ図はＡ図の符号Ｂを付した部分を側面から見た模式図。
【図６】従来の作戦盤を示す斜視図。
【発明を実施するための形態】
【００２０】
「実施の形態１」
図１を参照し、実施の形態１に係る作戦盤１の使い方の一例について説明する。作戦盤１の構造については、図３で詳述する。作戦盤１に用いられる人形３；４の個数は合計で２個以上であればよい。作戦盤１に用いられる指示棒５は、矢印Ｙで示す方向に長さを変化し得る構成の柄２４と、柄２４の先端に設けられた競技用ボールに似せた形に作られたボール２５とを備え、ボール２５の側に着脱部材としての永久磁石が設けられていない構成である。よって、指示棒５は、永久磁石を設けていない構成でボール２５を空中で移動させたり、柄２４の長さを変化し得る構成で競技面１２を広く使用させたりすることを主目的とする。
【００２１】
作戦盤１を使う場合、作戦基盤２の競技面１２が上に向けられ、作戦基盤２が作戦基盤２を配置しようとする場所の上に置かれる。その後、作戦を指示しようとする指導者が複数の人形３；４を競技面１２の作戦を指示しようとする場所の上に配置すると、着脱部材としての永久磁石１９；２０（図３参照）が捕捉部材としての強磁性体８に磁力で吸着して、人形３；４が競技面１２の作戦を指示しようとする場所に立体的に保持される。永久磁石１９；２０と強磁性体８とは、磁力による互いに捕捉し合うという相互作用を発揮する部材構成である。
【００２２】
そして、例えば、図１のＡ図に示すように、複数のオフェンス姿勢の人形３及び複数のディフェンス姿勢の人形４が作戦基盤２の上に置かれる。人形３；４が複数の選手の異なる姿勢を表現する種類として設けられているので、人形３；４が表現する姿勢の違いによって、指導者と選手とが作戦の内容を適切に把握して作戦の取り違えを防止することができる
【００２３】
そのように人形３；４が作戦基盤２の上に置かれた状態において、シュートの後の速攻で、ボールをどのように運んで行くかについて図１のＢ図を用いて説明する。ディフェンス姿勢の人形４がオフェンス姿勢の複数の人形３同士の間に置かれた状態において、柄２４のボール２５の無い側の端部を手で持った指導者が、ボール２５を矢印Ｘ１で示すように一方の人形３から人形４の上を越えて他方の人形３にパスするように空中で動かすようにしたり、又は、ボール２５を矢印Ｘ２で示すように一方の人形３から人形４の付近の競技面１２でバウンドさせて他方の人形３にパスするように動かしてしたりすることによって、選手にボール２５の動きや弾道或いは軌跡又はディフェンスやオフェンスの細やかな動きを適切に指示できる。
【００２４】
指示棒５は柄２４が可変式であるので、指導者が柄２４を長くしたり短くしたりして、作戦基盤２の競技面１２を全体的に使用する作戦を選手に適切に指示することができる。また、柄２４にボール２５が設けられているので、ボール２５の動きや弾道或いは軌跡による作戦を選手に適切に指示することができる。
【００２５】
指導者が、ボール２５を或る位置から次の位置に動かす場合に指示棒５の移動速度を変化させてもよい。また、指導者が指示棒５の柄２４を引き出して長くしたり、指示棒５の柄２４を押し込んで短くしたりしてもよい。指示棒５が最も短く収縮されることによって、指示棒５を狭い場所にも容易に収納することができる。
【００２６】
図１のように作戦基盤２の上に人形３；４の両方を置く必要は無く、図示は省略するが、作戦基盤２の上に人形３のみ又は人形４のみを置いてディフェンス、オフェンスの指示を行ってもよい。
【００２７】
図２を参照し、作戦盤１の図１と異なる使い方として選手がどのように動くかを指導する場合について説明する。指導者が複数の人形３や複数の用具６を競技面１２の作戦を指示しようとする場所の上に配置すると、永久磁石１９；２８（図３参照）が強磁性体８に磁力で吸着して、人形３及び用具６が競技面１２の作戦を指示しようとする場所に立体的に保持される。人形３及び用具６の個数は単数であってもよく、２個以上であってもよい。
【００２８】
用具６に表示された識別符号３２の「１」、「２」、「３」、「４」は、矢印Ｘ３；Ｘ４；Ｘ５で示すように、ボール２５が運ばれる順番を示す。例えば、指導者が、柄２４のボール２５の無い側の端部を手で持ち、ボール２５を矢印Ｘ３で示すように「１」なる識別符号３２の用具６から「２」なる識別符号３２の用具６へと空中で動かした後、「１」なる識別符号３２の用具６の傍の人形３が矢印Ｘ６で示すように「２」なる識別符号３２の用具６に向かって動くようにボール２５で示し、更に、「２」なる識別符号３２の用具６から離れた位置の人形３を矢印Ｘ７で示すように「２」なる識別符号３２の用具６に向かって動くようにボール２５で示すことによって、ボールをどのように運んで行くかや選手がどのように動くかを選手に適切に指導することができる。
【００２９】
また、指導者が、ボール２５を矢印Ｘ４；Ｘ５で示すように「２」なる識別符号３２の用具６から「３」なる識別符号３２の用具６を経由して「４」なる識別符号３２の用具６へと動かした後、「３」なる識別符号３２の用具６から離れた人形３が矢印Ｘ８で示すように「３」なる識別符号３２の用具６に向かって動くようにボール２５で示し、更に、「４」なる識別符号３２の用具６から離れた位置の人形３を矢印Ｘ９で示すように「４」なる識別符号３２の用具６に向かって動くようにボール２５で示すことによって、ボールをどのように運んで行くかや選手がどのように動くかを選手に適切に指導することができる。つまり、指導者が選手にフォーメーションや全体のボールまわしを適切に説明することができる。
【００３０】
以上のように作戦盤１によれば、指導者が試合形式での作戦やゲーム構成を選手に適切に指示でき、選手がパスの方向や方法或いはショットの弾道や軌道を容易に認識して選手の誤解も防げる。作戦盤１を選手が側方から見ることにより、実際のプレー中の目線で選手が作戦盤１の指示内容を把握して、より選手の理解度が深まる。
【００３１】
図３を参照し、作戦盤１の構造について詳述する。作戦盤１は、作戦基盤２、人形３；４、指示棒５、用具６を備える。作戦基盤２は、２つに折り畳める構造でもよいが、２つに折り畳めない携帯可能な大きさの板状になっている。その理由は、持ち出して試合中に使用するのではなく、練習中の指導用に使用するものとして、２つに折り畳める構造よりも、安価な構造を追及したからである。
【００３２】
作戦基盤２は２枚の鉄板のような強磁性体８；９の間に合板のような中間材１０を配置してなる板状の積層体の周縁部に枠１１を装着した構造で、強磁性体８の外面に競技面１２を備える。競技面１２には、競技用コートに似せて作られたコート１３が塗料で描かれた態様である。コート１３としてバスケットボール競技用を例示した。
【００３３】
強磁性体９の外面が字を書くことの可能な塗料で被覆されれば、強磁性体９をホワイトボードや黒板又は掲示板のように使用できる。強磁性体９又は中間材１０が除去された構造でもよい。強磁性体９及び中間材１０が除去された構造の場合、強磁性体８の中間材１０の側の面が字を書くことの可能な塗料で被覆されてもよい。
【００３４】
コート１３には、コート１３での選手の立ち位置を分かりやすくするための補助線Ｌ１が設けられてコート１３の半面を６分割している。これによって、競技面１２に人形３又は人形４又は用具６を立てた場合に、それらの位置を選手に適切に把握させることができる。補助線Ｌ１を増減することによって分割数を６分割以外に構成してもよい。
【００３５】
人形３；４は、複数の選手の異なる姿勢を個別に表現するもので、胸側及び背中側にゼッケン設置部１５；１６を備え、両足の下部に台座１７；１８を備え、台座１７；１８に永久磁石１９；２０を備える。ゼッケン設置部１５；１６は無くてもよいが、ゼッケン設置部１５；１６が設けられていれば、ゼッケン３３を貼る位置が定まり、ゼッケン３３が見やすくなる。
【００３６】
台座１７；１８には、凹部２１；２２が台座１７；１８の下面から内部に窪む態様に設けられる。凹部２１；２２には、永久磁石１９；２０が設けられる。永久磁石１９；２０が凹部２１；２２に嵌め込まれる際に接着剤で台座１７；１８に結合されれば、永久磁石１９；２０が嵌め込まれただけのものに比べ、永久磁石１９；２０の台座１７；１８からの脱落防止が向上する。
【００３７】
永久磁石１９；２０が設けられた状態において、台座１７；１８の凹部２１；２２の周りの下縁部が永久磁石１９；２０よりも下方に突出した構造である。よって、人形３；４が競技面１２に立たせられた場合、永久磁石１９；２０が競技面１２から離れ、永久磁石１９；２０よりも競技面１２に対する衝撃の少ない材料からなる台座１７；１８の下縁部が競技面１２に接触するので、競技面１２が保護される。
【００３８】
台座１７；１８が人形３；４の両足にわたって配置されているので、台座１７；１８を人形３；４の片足に配置したものよりも、永久磁石１９；２０の下面の面積を広くすることができ、永久磁石１９；２０の面積が広くなると、人形３；４を作戦基盤２の競技面１２に立たせた場合、人形３；４が安定する。
【００３９】
人形３は、両腕を頭よりも上げ、両足を左右に広げて伸ばし、上半身及び下半身をまっすぐ伸ばした、ディフェンス姿勢を表現した態様である。人形４は、片足を前に出して膝を曲げ、他の片足を後に下げて膝を伸ばして踵を上げ、両腕を腹よりも前に出して下げ、上半身を前屈みにした、オフェンス姿勢を表現した態様である。人形３；４の表現する姿勢は、２種類に限定されるものではなく、３種類以上であってもよい。つまり、図示した２つの人形３；４に限定されるものではなく、図外の３種類以上の人形を用いてもよい。
【００４０】
指示棒５は、作戦を指示するもので、柄２４、ボール２５を備える。柄２４は、長さが変化できない構成でもよいが、複数の棒部材２６を互いに引き出したり押し込んだりできる伸縮アンテナのような伸縮構造によって、長さが変化し得る構成になっている。柄２４のボール２５の設けられていない側の端部は、ボール２５の側の棒部材２６が抜けないように塞がれる。ボール２５は、競技用ボールとしての競技用バスケットボールに似せた形に作られ、柄２４の先端に設けられる。
【００４１】
用具６は、作戦の指示に役立たせるもので、永久磁石２８の磁力による吸着で競技面１２に立たせられる構造であり、永久磁石２８を有する台座２９の上に表示体３０を備えた、フィールドポイントと称されるような標識を構成する。台座２９には、凹部３１が台座２９の下面から内部に窪む態様に設けられる。
【００４２】
凹部３１には、永久磁石２８が嵌め込まれる。永久磁石２８は嵌め込まれる際に接着剤で台座２９に結合されれば、永久磁石２８が嵌め込まれただけのものに比べ、永久磁石２８の台座２９からの脱落防止が向上する。表示体３０には、数字又は記号のような識別符号３２が表示される。用具６が複数の場合、識別符号３２は用具６ごとに異なる数字又は記号又は形にすれば、用具６を利用した作戦が選手に適切に伝わる。
【００４３】
ゼッケン３３は、人形３；４に識別番号３４を表示するもので、人形３；４に貼付可能なシールにより構成される。例えば、ゼッケン３３は、シート構造体３５から複数個作り出せる構造である。シート構造体３５は、表示シート３６と剥離シート３７とを粘着材３８で互いに結合した構造である。表示シート３６及び粘着材３８には、ゼッケン３３の外形を作る切れ目３９が入れられている。切れ目３９によって、１つのシート構造体３５から複数のゼッケン３３が取り出せる。
【００４４】
例えば、人が、切れ目３９よりも外側部分を片方の手で押さえ、切れ目３９よりも内側部分を手で持ち上げてゼッケン３３をシート構造体３５の剥離シート３７から剥がすことによって、表示シート３６の部分及び粘着材３８の部分を備えたゼッケン３３がシート構造体３５から取り出せる。この取り出されたゼッケン３３の粘着材３８の部分が人形３；４のゼッケン設置部１５；１６に個別に貼り付けられると、ゼッケン３３が人形３；４に個別に装着される。
【００４５】
ゼッケン３３の表示シート３６の表面には、識別番号３４が予め表示されていてもよいが、識別番号３４が予め表示されていないで、ゼッケン３３を使用する際に筆記具で人が書くようにしてもよい。このように、人が書くことによって、選手が交代したり、対戦相手が変わったりした場合に、それに合わせて識別番号３４を容易に書き換えることができる。また、ゼッケン３３が汚れた場合には、古いゼッケン３３を人形３；４から剥がし、新しいゼッケン３３を人形３；４に付ければよいので、ゼッケン３３が容易に交換できる。また、ゼッケン３３を使用しないで、識別番号３４をゼッケン設置部１５；１６又は人形３；４のゼッケン設置部１５；１６を除去した部分に筆記具で書いてもよい。
【００４６】
シート構造体３５は、ゼッケン３３以外に、用具６に用いる符号体４０が併設された態様である。符号体４０は、ゼッケン３３と同様に、シート構造体３５から剥がせるようになっている。つまり、表示シート３６及び粘着材３８には、符号体４０の外形を作る切れ目４１が入れられており、当該切れ目によって、１つのシート構造体３５から複数の符号体４０が個別に取り出せるようになっている。符号体４０の表示シート３６の表面には、識別符号３２が予め表示されていてもよいが、識別符号３２が予め表示されていないで、符号体４０を使用する際に筆記具で人が書くようにしてもよい。また、符号体４０を使用しないで、識識別符号３２を表示体３０に筆記具で書いてもよい。
【００４７】
ゼッケン３３及び符号体４０は、人形３；４に貼付可能なシールにより構成するよりも人形３；４への取付構造が複雑になるものの、人形３；４に貼付可能なシールにより構成する以外に、人形３；４に嵌め込み可能又は着脱可能な部材として構成してもよい。つまり、ゼッケン３３及び符号体４０は、シート構造体３５から剥がせる構造や貼付可能なシールに限定されるものではなく、人形３；４に設けられる構成であればよい。
【００４８】
ゼッケン３３が人形３；４に設けられれば、指導者と選手とが作戦の対象となっている人形３；４を適切に把握して作戦の取り違えを防止することができる。
【００４９】
「実施の形態２」
図４を参照し、実施の形態２に係る作戦盤１について説明する。図４では、図１の作戦盤１を構成する部材と違う部材としての作戦基盤２と用具４３を図示した。図４の作戦盤１が図１や図３の作戦盤１と相違する点は、作戦基盤２のコート１３がバレーボール競技用であり、用具４３の形が用具６の形と違うことである。人形は、図１の人形３；４と異なり、バレーボール競技用の姿勢を表現するものを使用することになるが、図４では図示を省略した。また、ゼッケンも、図１のゼッケン３３と異なる態様のものを使用してもよいが、図４では図示を省略した。
【００５０】
用具４３は、一対の支柱４４で板状部材４５を支え、支柱４４の下部に台座４６を備え、台座４６に永久磁石４７を備える。台座４６には、凹部４８が台座４６の下面から内部に窪む態様に設けられる。板状部材４５は、透明、半透明、透明でない樹脂、エラストマー、ゴム、ネット、厚紙のような素材により構成される。支柱４４及び板状部材４５を互いに別々に形成されたものを結合してもよいが、支柱４４及び板状部材４５を成形によって一体に構成してもよい。
【００５１】
凹部４８には、永久磁石４７が嵌め込まれる。永久磁石４７は嵌め込まれる際に接着剤で台座４６に結合されれば、永久磁石４７が嵌め込まれただけのものに比べ、永久磁石４７の台座４６からの脱落防止が向上する。板状部材４５に網目模様を表示して用具４３をネットに見立てたり、支柱４４にバレーボール競技用アンテナに似せて作られたアンテナを設けて用具４３をネットに見立てたりしてもよい。
【００５２】
コート１３には、コート１３での選手の立ち位置を分かりやすくするための補助線Ｌ２が設けられてコート１３の半面を６分割している。補助線Ｌ２を増減することによって分割数を６分割以外に構成してもよい。
【００５３】
図５を参照し、実施の形態２に係る作戦盤１の使い方の一例について図３の人形３；４に代えて人形４９；５０を用いて説明する。図５のＡ図及びＢ図に示すように、用具４３が作戦基盤２のコート１３のセンターラインの部分に置かれ、バレーボール競技用の姿勢を表現する人形４９；５０がコート１３の一方の領域に配置された状態において、指導者が、指導者が柄２４のボール２５の無い側の端部を手で持ち、指示棒５のボール２５を作戦基盤２の長手方向の一端の側からネットに見立てた用具４３の上を越えて人形４９；５０の配置されたコート１３の一方の領域に例えばアタックを打ち込むような動きや弾道或いは軌跡を描くように指示棒５を動かして攻撃の作戦を選手に適切に指示する。
【００５４】
図５のＡ図に示すように、コート１３に補助線Ｌ２が設けられたことによって、競技面１２に人形４９又は人形５０又は用具４３を立てた場合に、それらの位置を選手に適切に把握させることができる。
【００５５】
実施の形態１及び実施の形態２において、人形３；４；４９；５０や用具６；４３に設けられた着脱部材と、作戦基盤２に設けられた捕捉部材とが、永久磁石１９；２０；２８；４７と強磁性体８とにより構成されているので、着脱部材と捕捉部材とが吸盤と吸盤のくっつく性質の表面を有する部材とにより構成されたり、着脱部材と捕捉部材とが針と針が刺さる部材とにより構成されたり、着脱部材と捕捉部材とが物体にくっつく性質を有する高分子材料と高分子材料のくっつく性質の表面を有する部材とにより構成されたり、着脱部材と捕捉部材とが面ファスナーにより構成されたりしたものよりも、人形３；４；４９；５０や用具６；４３を作戦基盤２に保持させたり作戦基盤２から外したりすることが容易にできる。
【００５６】
実施の形態１及び実施の形態２において、作戦基盤２に立たせて作戦の指示に役立たせる用具６；４３を備えているので、より実践的な作戦を選手に適切に指示することができる。
【００５７】
実施の形態１及び実施の形態２において、人形３；４；４９；５０は、何れかの一種類のみであってもよい。人形３；４；４９；５０の姿勢つまり人形３；４；４９；５０の形は競技に合わせて図示以外の態様に変えてもよい。
【００５８】
実施の形態１及び実施の形態２において、コート１３は、サッカーボール又はハンドボール又はドッジボールなどの他の競技でもよい。
【００５９】
実施の形態１及び実施の形態２において、用具６；４３は設けなくてもよく、用具６；４３は例えばサッカーボールのゴールのように競技によって態様を変えてもよい。
【００６０】
実施の形態１及び実施の形態２において、指示棒５の柄２４の長さを変化させる構造は複数の棒部材２６をヒンジで連結した折り畳み構造又は複数の棒部材２６を分離した嵌め込み構造でもよく、ボール２５の外観は、競技に合わせて変更してもよい。
【００６１】
実施の形態１及び実施の形態２において、ゼッケン３３を別の形にしてもよい。別の形のゼッケンとしては、図示は省略するが、例えば人形３；４；４９；５０の肩を経由して胸側及び背中側にわたされる形でもよい。この別の形のゼッケンの場合、当該別の形のゼッケンの外形を作る切れ目よりも内側に人形３；４；４９；５０の頭を通過させる貫通孔を作る切れ目を設ける必要はある。
【００６２】
実施の形態１及び実施の形態２において、人形３；４に永久磁石１９；２０に代えて強磁性体を設け、作戦基盤２に強磁性体８に代えて永久磁石を設けてもよい。そして、用具６又は用具４３を設ける場合には、用具６には永久磁石２８に代えて強磁性体を設け、用具４３には永久磁石４７に代えて強磁性体を設ける。永久磁石１９；２０；２８；４６や上記永久磁石は、ゴムやエラストマー或いはそれら以外の合成樹脂に、永久磁石の粉又は粒を混ぜた構成でもよい。永久磁石１９；２０；２８；４６の一部が台座１７；１８；２９；４５よりも下方に突出してもよい。
【００６３】
実施の形態１及び実施の形態２において、永久磁石１９；２０；２８；４６は、台座１７；１８；２９；４５の樹脂成形時にインサート成形によって台座１７；１８；２９；４５に設けられてもよい。つまり、永久磁石１９；２０；２８；４６が台座１７；１８；２９；４５の樹脂成形型の成形空間に配置された状態で台座１７；１８；２９；４５の樹脂成形材料が上記樹脂成形型の成形空間に注入されることによって、永久磁石１９；２０；２８；４６が台座１７；１８；２９；４５に設けられた構造である。
【００６４】
実施の形態１及び実施の形態２において、着脱部材と捕捉部材とが吸盤と吸盤のくっつく性質の表面を有する部材とにより構成されたり、着脱部材と捕捉部材とが針と針が刺さる部材とにより構成されたり、着脱部材と捕捉部材とが物体にくっつく性質を有する高分子材料と高分子材料のくっつく性質の表面を有する部材とにより構成されたり、着脱部材と捕捉部材とが面ファスナーにより構成されたりしてもよい。要するに、着脱部材と捕捉部材とは、互いに捕捉し合うという相互作用を発揮する部材構成であればよい。
【００６５】
着脱部材と捕捉部材とが吸盤と吸盤のくっつく性質の表面を有する部材とにより構成された場合、ボール２５の側に着脱部材としての永久磁石が設けられていない構成は、ボール２５の側に着脱部材としての吸盤が設けられていない構成となる。着脱部材と捕捉部材とが針と針が刺さる部材とにより構成された場合、ボール２５の側に着脱部材としての永久磁石が設けられていない構成は、ボール２５の側に着脱部材としての針が設けられていない構成となる。着脱部材と捕捉部材とが物体にくっつく性質を有する高分子材料と高分子材料のくっつく性質の表面を有する部材とにより構成された場合、ボール２５の側に着脱部材としての永久磁石が設けられていない構成は、ボール２５の側に着脱部材としての物体にくっつく性質を有する高分子材料が設けられていない構成となる。着脱部材と捕捉部材とが面ファスナーにより構成された場合、ボール２５の側に着脱部材としての永久磁石が設けられていない構成は、ボール２５の側に着脱部材としての面ファスナーが設けられていない構成となる。
【００６６】
実施の形態１及び実施の形態２において、指示棒５の柄２４は、可変式ではなく、長さのかえられない非可変式でもよい。
【００６７】
実施の形態１及び実施の形態２において、ボール２５が柄２４から除去された構造でもよい。この場合、柄２４の先端には、着脱部材としての永久磁石、吸盤、針、物体にくっつく性質を有する高分子材料、面ファスナーが設けられていない構成となる。
【００６８】
実施の形態１及び実施の形態２において、柄２４にボール２５に代えて矢印物体又は目印物体を設けてもよい。目印物体は、角体や球体でよい。この場合、矢印物体又は目印物には、着脱部材としての永久磁石、吸盤、針、物体にくっつく性質を有する高分子材料、面ファスナーが設けられていない構成となる。
【符号の説明】
【００６９】
１は作戦盤、２は作戦基盤、３；４は人形、５は指示棒、６は用具、７は欠番、８；９は強磁性体、１０は中間材、１１は枠、１２は競技面、１３はコート、１４は欠番、１５；１６はゼッケン設置部、１７；１８は台座、１９；２９は永久磁石、２１；２２は凹部、２３は欠番、２４は柄、２５はボール、２６は棒部材、２７は欠番、２８は永久磁石、２９は台座、３０は表示体、３１は凹部、３２は識別符号、３３はゼッケン、３４は識別番号、３５はシート構造体、３６は表示シート、３７は剥離シート、３８は粘着材、３９は切れ目、４０は符号体、４１は切れ目、４２は欠番、４３は用具、４４は支柱、４５は板状部材、４６は台座、４７は永久磁石、４８は凹部、４９；５０は人形、５１は作戦基盤、５２は人形、５３は指示棒、５４は競技面、５５は強磁性体、５６は永久磁石、５７は柄、５８はボール、５９は永久磁石。
【図１】
2010284413.tif 000003
【図２】
2010284413.tif 000004
【図３】
2010284413.tif 000005
【図４】
2010284413.tif 000006
【図５】
2010284413.tif 000007
【図６】
2010284413.tif 000008